(57)【要約】【課題】  除菌機能と室内暖房手段を兼用することにより、装置のコンパクト化を可能とする。【解決手段】  空気を暖めるヒータ１０４と、ヒータ１０４が収納される排気ダクト１０３と、装置内及び／又は装置外の空気を吸気し、ヒータ１０４により生成された温風を装置外へ噴出させるファンモータ１０５と、ヒータ１０４の通電制御とファンモータ１０５の駆動制御を行う制御装置１４と、ファンモータ１０５の吸い込み口の上流に設けられて空気中のアレルゲンやウィルスを不活性化する集じんフィルタ１０８を備えた室内暖房装置１００を温水洗浄便座装置１に内蔵した。【選択図】  図４
2005320715.tif 000002
【特許請求の範囲】
【請求項１】
暖房便座と、人体の局部を洗浄する洗浄装置と、トイレ空間を暖房する室内暖房装置を備えた温水洗浄便座装置において、
前記室内暖房装置は、空気を暖めるヒータと、前記ヒータが収納される排気ダクトと、装置内及び／又は装置外の空気を吸気し、前記ヒータにより生成された温風を装置外へ噴出させるファンモータと、前記ヒータの通電制御と前記ファンモータの駆動制御を行う制御装置と、前記ファンモータの吸い込み口の上流に設けられて空気中のアレルゲンやウィルスを不活性化する集じんフィルタを備えたことを特徴とする温水洗浄便座装置。
【請求項２】
前記ファンモータの上流に吸気ダクトが配置され、前記集じんフィルタを前記吸気ダクト内に配置したことを特徴とする請求項１に記載の温水洗浄便座装置。
【請求項３】
温水洗浄便座装置の装置内と装置外を仕切る基材に、前記装置内と装置外を連通する開口部を形成し、装置外の空気が前記開口部を介して前記集じんフィルタ内を通気するように構成したことを特徴とする請求項１又は２に記載の温水洗浄便座装置。
【請求項４】
前記開口部に、前記基材の外側より着脱可能なプレフィルタを設けたことを特徴とする請求項３に記載の温水洗浄便座装置。
【請求項５】
前記開口部に吸気口を有するフィルタケースを着脱可能に取り付け、前記フィルタケースに前記基材の外側より着脱可能なプレフィルタを設け、前記フィルタケースを前記開口部から外すことで前記集じんフィルタを装置外へ取り外し可能としたことを特徴とする請求項３に記載の温水洗浄便座装置。
【請求項６】
前記基材に対して前記吸気ダクトを密着構成又は略密着に配置するとともに、前記ファンモータと前記集じんフィルタ間の前記吸気ダクトに前記基材内と連通する部分を有することを特徴とする請求項３〜５のいずれかに記載の温水洗浄便座装置。
【請求項７】
前記制御装置は、温水洗浄便座装置の過去の使用状況を記憶し、その記憶結果に基づいて使用頻度の低い時間帯を学習してなり、
かかる使用頻度の低い時間帯では、前記ファンモータを第一の駆動制御で運転し、それ以外の時間帯では、前記ファンモータを第一の駆動制御より回転数の多い第二の駆動制御で運転することを特徴とする請求項１〜６いずれかに記載の温水洗浄便座装置。
【請求項８】
使用者の温水洗浄便座装置への接近や便座への着座を検知する対象物検知センサを有し、前記対象物検知センサが使用者を検知した場合は、前記ファンモータを停止又は回転数を低減することを特徴とする請求項７に記載の温水洗浄便座装置。
【請求項９】
前記対象物検知センサにて使用者を検知後、非検知になった場合、一定時間内は前記第二の駆動制御より回転数の多い第三の駆動制御で運転することを特徴とする請求項８に記載の温水洗浄便座装置。
【発明の詳細な説明】
【技術分野】
【０００１】
本発明は、温水洗浄便座装置に係り、特にトイレ内で使用するのに好適な空気清浄装置を搭載した温水洗浄便座装置に関する発明である。
【背景技術】
【０００２】
従来のトイレ空間の空気を清浄化する手段としては、便器後部上縁に載置されるハウジング内に収容され人体局部を洗浄する洗浄機構を備えた温水洗浄便座装置に対して、前記便器の近傍に位置するように空気清浄装置を温水洗浄便座装置内に内蔵していた（例えば、特許文献１参照。）。
この従来技術における空気清浄機能は、使用者が脱着衣を行なうことでトイレ内に拡散する塵や埃を効率的に排除しようとするものである。
【特許文献１】特開平１０−１１４９８９号公報
【発明の開示】
【発明が解決しようとする課題】
【０００３】
この従来技術においては、温水洗浄便座装置の空気清浄装置は、空気清浄機専用のファンモータやプレフィルタ、吸気口、排気口が必要となり、温水洗浄便座装置を大型化してしまうという問題があった。
また、トイレ内に残ったウィルスやアレルゲンは、塵や埃を捕獲するフィルタでは除去することができず、完全な空気清浄機能を発揮しているとはいえない。
本発明は、上記問題を解決するためになされたもので、本発明の課題は、温水洗浄便座装置内にウィルスやアレルゲンを不活性化する機能を持つ空気清浄装置を設置する場合に温水洗浄便座装置が大型化するのを防ぐことにある。さらに、本発明の第二の課題は、温水洗浄便座装置内に設けた空気清浄装置のフィルタのメンテナンスを行いやすくすることにある。
【課題を解決するための手段】
【０００４】
請求項１記載の温水洗浄便座装置によれば、暖房便座と、人体の局部を洗浄する洗浄装置と、トイレ空間を暖房する室内暖房装置を備えた温水洗浄便座装置において、前記室内暖房装置は、空気を暖めるヒータと、前記ヒータが収納される排気ダクトと、装置内及び／又は装置外の空気を吸気し、前記ヒータにより生成された温風を装置外へ噴出させるファンモータと、前記ヒータの通電制御と前記ファンモータの駆動制御を行う制御装置と、前記ファンモータの吸い込み口の上流に設けられて空気中のアレルゲンやウィルスを不活性化する集じんフィルタを備えたことにより、室内暖房装置に空気清浄機能が付加することが可能となり、装置のコンパクト化が可能となった。
【０００５】
また、請求項２記載の温水洗浄便座装置によれば、請求項１記載の発明に加え、前記ファンモータの上流に吸気ダクトが配置され、前記集じんフィルタを前記吸気ダクト内に配置したことにより、集じんフィルタの固定が確実に行えようになった。
【０００６】
また、請求項３記載の温水洗浄便座装置によれば、請求項１又は請求項２に記載の発明に加え、温水洗浄便座装置の装置内と装置外を仕切る基材に、前記装置内と装置外を連通する開口部を形成し、前記開口部より装置外の空気が前記集じんフィルタ内を通気するように構成したことにより、装置外の空気を集じんフィルタへ通気し空気清浄をすることが可能である。
【０００７】
また、請求項４記載の温水洗浄便座装置によれば、請求項３に記載の発明に加え、前記開口部に、前記基材の外側より着脱可能なプレフィルタを設けたので、塵や埃は集じんフィルタより上流に位置するプレフィルタが捕獲するので、集じんフィルタのウィルスやアレルゲンの不活性化機能を阻害することがない。
【０００８】
また、請求項５記載の温水洗浄便座装置によれば、請求項３に記載の発明に加え、前記開口部に吸気口を有するフィルタケースを着脱可能に取り付け、前記フィルタケースに前記基材の外側より着脱可能なプレフィルタを設け、前記フィルタケースを前記開口部から外すことで前記集じんフィルタを装置外へ取り外し可能としたことにより、使用者が間違って、集じんフィルタを取り外せない構成とした。
【０００９】
また、請求項６記載の温水洗浄便座装置によれば、請求項３〜５のいずれかに記載の発明に加え、前記基材に対して前記吸気ダクトを密着構成又は略密着に配置するとともに、前記ファンモータと前記集じんフィルタ間の前記吸気ダクトに前記基材内と連通する部分を有することにより、前記集じんフィルタ等が詰まったとしても、室暖機能の使用停止を防げる。
【００１０】
また、請求項７記載の温水洗浄便座装置によれば、請求項１〜６のいずれかに記載の発明に加え、前記制御装置は、温水洗浄便座装置の過去の使用状況を記憶し、その記憶結果に基づいて使用頻度の低い時間帯を学習してなり、かかる使用頻度の低い時間帯では、前記ファンモータを第一の駆動制御で運転し、それ以外の時間帯では、前記ファンモータを第一の駆動制御より回転数の多い第二の駆動制御で運転することにより、使用者が使用しないと思われる深夜の就寝中は、するであろう時間帯にファンモータの回転数を少なくし、運転を低減させつつ、トイレ空間の除菌を行い、人が来るであろう時間帯はファンモータの回転数を上げて、除菌をする。
【００１１】
また、請求項８記載の温水洗浄便座装置によれば、請求項７記載の発明に加え、使用者の温水洗浄便座装置への接近や便座への着座を検知する対象物検知センサを有し、前記対象物検知センサが使用者を検知した場合は、前記ファンモータを停止又は回転数を低減することにより、冷たい空気がトイレ空間に流れ、使用者に冷感による不快感を与えてしまうのを防止する
【００１２】
また、請求項９記載の温水洗浄便座装置によれば、請求項８記載の発明に加え、前記対象物検知センサにて使用者を検知後、非検知になった場合、一定時間内は前記第二の駆動制御より回転数の多い第三の駆動制御で運転することにより積極的に除菌運転をさせる。
【発明の効果】
【００１３】
本発明によれば、除菌機能と室内暖房手段を兼用することにより、装置のコンパクト化を可能という効果がある。
【発明を実施するための最良の形態】
【００１４】
以下、添付図面を参照して本発明の実施形態について説明する。
図１は温水洗浄便座装置の透視斜視図である。温水洗浄便座装置１は、人体の局部を清浄な水もしくは温水で洗浄する装置である。温水洗浄便座装置１への水の供給は、給水源より通水される給水管２が給水管取付口を有する分岐管３に接続することにより行われる。分岐管３は、温水洗浄便座装置１の内部に設置されているロータンク４に水を供給するボールタップ５と、局部洗浄の水の流れを制御する水路開閉手段を有した給水装置６に給水するように分岐される。
【００１５】
給水装置６の下流に接続される温水タンク７で温水を生成し、局部洗浄用ノズル８を伸出させ先端の吐水口８ａから温水を吐水させ、便座９に着座している使用者の局部を洗浄する。局部洗浄用ノズル８は、通常状態では温水洗浄便座装置１の内部に収納され、本体ケース１０にて覆われている。本体ケース１０は、給水装置６，温水タンク７，局部洗浄用ノズル８，さらに後方に設置されているロータンク４を一体で覆う構成であり、また、本体ケース１０内には、便座９及び便ふた１１の開閉制御を行う開閉制御装置１２（ソフト閉止装置又は自動開閉装置）が設置される。温水洗浄便座装置１の本体ケース１０、便座９及び便ふた１１は、便器１３と略同一幅に構成されている。
【００１６】
温水洗浄便座装置１の制御装置１４からの制御信号より便器洗浄バルブ装置１５が作動し、フラッパ弁１６が開閉することにより、温水洗浄便座装置１内部の後方に配置されるロータンク４に貯水されている水を便器側へ通水して便器洗浄を行う。
【００１７】
また、制御装置１４は、ロータンク４の側面に配置され、温水タンク７の温度制御、給水装置６の開閉制御等の局部洗浄動作制御及び脱臭装置１７、便座９及び便ふた１１の開閉制御装置１２（自動開閉装置の場合）の駆動制御、後述する空気清浄機能付き室内暖房装置１００や乾燥装置１８の温度制御及び駆動制御等を行う。また、これらの駆動機器は、本体プレート１９に固定されている。なお、この本体プレート１９および本体ケース１０が、温水洗浄便座装置の基材に相当する。
【００１８】
図２は、背面から見た温水洗浄便座装置１である。ロータンク４を覆う本体ケース１０は、背面が湾曲し、トイレ空間の背面壁との隙間部Ａに空気清浄機能付き室内暖房装置の吸気口１０１ａが配置されている。吸気口１０１ａはフィルタケース１０１に形成されており、比較的大きい塵や埃を除去するプレフィルタ１０２がフィルタケース１０１に着脱ができるように装着されている。
【００１９】
図３は、フィルタケース１０１とプレフィルタ１０２の説明図である。フィルタケース１０１は、外気を取り込む吸気口１０１ａと、プレフィルタ１０２の挿入口１０１ｂが設けられている。フィルタケース１０１の上面と下面の２箇所に、本体ケース１０と係合する係合部１０１ｃが設けられ、フィルタケース１０１を本体ケース１０と着脱操作するため係合部１０１ｃを操作する操作部１０１ｄが設けられている（スナップフィット構造）。また、プレフィルタ１０２のフィルタ部１０２ａはメッシュ構成になっており、また、使用者が着脱できるように取っ手部１０２ｂが設けられ、フィルタケース１０１にプレフィルタ１０２を取り付けた際の係合部１０２ｃが形成されている（スナップフィット構造）。
【００２０】
図４は、本体ケース内の空気清浄機能付き室内暖房装置の斜視図であり、図５は、空気清浄機能付き室内暖房装置部の概略断面図であり、図６は、風路系統図である。
空気清浄機能付き室内暖房装置１００は、排気ダクト１０３、ヒータ１０４、ファンモータ１０５、吸気ダクト１０６、パッキン１０７、集じんフィルタ１０８、サーミスタ１０９にて概略構成されている。排気ダクト１０３内には、ヒータ１０４が設けられている。ヒータ１０４には、温度ヒューズ１０４ａ、バイメタルスイッチ１０４ｂの安全装置が組み込まれている。
【００２１】
空気中に浮遊しているウィルスを捕集する集じんフィルタ１０８として、帯電処理を行ったエレクトレットフィルタなどの集じんフィルタと茶の抽出成分を添着しウィルスを不活性化させるカテキンフィルタを積層して構成したものや、また、より多くの細菌や微生物への殺傷力を高めた集じんフィルタとして、酵素（エゾチーム）と金属を坦持した無機抗菌剤（Ａｇ−アパタイト）をプリフィルタに塗布した除菌フィルタと、カテキンフィルタと、塵埃を除去するヘパフィルターを積層にして構成してもよい。
【００２２】
また、前述の積層フィルタにダニ等に代表される害虫由来のアレルゲンを不活性化させるフィルタを構成してもよく、集じんフィルタ１０８内にトイレ内の空気が通気することにより、ウィルス、ダニや花粉などのアレルゲンを不活性化し空気を除菌し排気される。
【００２３】
本体ケース１０の背面には開口部１０ａが形成されている。フィルタケース１０１は開口部１０ａに挿入し、係合部１０１ｃにより本体ケース１０裏面と係合され固定される。フィルタケース１０１内には、通常プレフィルタ１０２が装着状態となっている。吸気ダクト１０６内には、集じんフィルター１０８が挿入されて、吸気ダクト１０６のフランジ部１０６ａにパッキン１０７が取り付けられている。パッキン１０７は、発泡部材であり、フランジ部１０６ａとの固定は両面テープにより固定される。フランジ部１０６ａに取り付けられたパッキン１０７は、本体ケース１０の裏面と密着するような構造となっている。
【００２４】
フィルタケース１０１の操作部１０１ｄをフィルタケース１０１内側に操作する（押す）ことにより、フィルタケース１０１は本体ケース１０から外れ、集じんフィルタ１０８の交換が可能となっている。
【００２５】
ファンモータ１０５と吸気ダクト１０６の配置構成は、図５（ａ）においては、ファンモータ１０５と吸気ダクト１０６が密着されているため、本体内の空気は吸気せず、トイレ空間の空気のみ吸気する構成となっている。本構成において、プレフィルタ１０２が埃などで目詰まりを起こした場合、ファンモータ１０５を駆動させると、ファンモータ１０５とプレフィルタ１０２の間は真空に近い状態となり排気が出来なくなってしまう。この目詰まり状態で室暖機能を使うと、ヒータ１０４に装着されているバイメタルスイッチ１０４ｂがヒータ１０４の異常温度を検知し、ヒータ１０４に通電させないようにする。この場合、使用者は、なぜ室暖機能が使用できないかが分からず、不快に感じてしまう。よって、これを防止するため、例えば、目詰まりセンサ（図示なし）を、ファンモータ１０５の上流又は下流に配置し、室暖機能を使用する際は、ヒータ１０４を非通電状態でファンモータ１０５のみ所定時間運転をし目詰まりをチェックし、問題が無ければヒータ１０４を通電状態し、トイレ空間の暖房を開始させる。また、問題がある場合や予測される場合は、使用者に目詰まりを報知してプレフィルタ１０２の清掃を促す。目詰まりセンサ（図示なし）は、風速センサを用いることにより簡易的に目詰まりを検知できる。
【００２６】
別のファンモータ１０５と吸気ダクト１０６の配置構成として、図５（ｂ）に示すように、ファンモータ１０５と吸気ダクト１０６に所定空間を設け本体内の空気とトイレ空間の空気の両方を吸気する構成としている。本構成によれば、ファンモータ１０５と吸気ダクト１０６を所定空間Ｂを設けて配置することにより、プレフィルタ１０２又は集じんフィルタ１０８が目詰まりを起こしても、室暖機能としては、温水洗浄便座装置１内の空気により正常な運転が可能となる。前述した図５（ａ）の構成では目詰まりセンサが必要であったが、本構成では必要がなくなる。
また、使用者へのプレフィルタ１０２の清掃を促す手段として、ファンモータ１０５の累積駆動時間を制御部が算出して、所定駆動時間になったら使用者へ報知する態様をとることができる。この場合、清掃後は駆動時間を使用者が駆動時間をリセットすることにより、実施可能となる。
【００２７】
ファンモータ１０５と吸気ダクト１０６の別の配置構成として、吸気ダクト１０６とファンモータ１０５は所定空間Ｂを設けたが、ファンモータ１０５と吸気ダクト１０６を密着配置させた場合でも、集じんフィルタ１０８とファンモータ１０５の間に、吸気ダクト１０６に本体内と連通する通気穴（図示なし）を設けて本体内外の空気を取り込んでも、同様の効果が得られる。
【００２８】
前記構成において、本体内外からの空気取り込む場合、本体内からの空気取り込み量より、本体外からの空気取り込み量を多くするように構成する方が、除菌効率が良い。
【００２９】
また、図５（ｃ）は、本体底面から吸気する場合の構成である。本体プレート１９の開口部１９ａにフィルタケース１０１が前述と同様に装着される。本体プレート１９には、開口部１９ａを囲うリブ１９ｂが形成され、吸気ダクト１０６の吸気口とリブ１９ｂが重なるように取り付けられ、本体内からの吸気を妨げている構成となっている。この場合、パッキンを使わずに確実に本体外からの吸気が可能となり、前述の構成と同様の効果が得られる。なお、このリブ１９ｂを５ｍｍ程度の高さにすれば、温水洗浄便座装置１やロータンク４から水漏れが生じて本体プレート１９上に落水しても開口部１９ａから落下することがない。
【００３０】
前述した構成において、送風ファンの吸い込み側に集じんフィルタ１０８を設けたことで便器内の湿気や尿などアンモニア成分等の空気が集じんフィルタ１０８を通過することを防止しているため、除菌部である集じんフィルタ１０８の早期劣化を防ぐことが可能となる。また、特に集じんフィルタ１０８にカテキンが添着している場合、アンモニア成分等の湿気による劣化が顕著であるため、便器内の空気を吸い込む脱臭装置に集じんフィルタ１０８を設けるより、室内暖房装置にカテキン添着のフィルタを構成することが望ましい。
【００３１】
また、フィルタを清掃する際には、通常は、フィルタケース１０１を開口部１９ａに装着したままプレフィルタ１０２の取っ手部１０２ｂを引いてプレフィルタ１０２のみを外して付着した塵や埃を除去する。集じんフィルタ１０８を掃除したり交換する場合には、フィルタケース１０１を開口部１０９ａから外して集じんフィルタ１０８を開口部１０９ａから取り出せばよい。このように、２つのフィルタをメンテナンスの頻度によって異なる取り外し方法としているので、通常のプレフィルタ１０２のメンテナンスのみを簡単に行なうことができる。
【００３２】
なお、異臭の原因となる便器内からのアンモニア成分等の空気は、別に構成されている脱臭装置１７の触媒によって無臭化され便器外へ排気される（図示無し）。
【００３３】
図７は温水洗浄便座装置１を操作するリモコン２０である。リモコン２０には除菌ボタン２０ａと室内暖房ボタン２０ｂ（以下  室暖ボタン）が用意されており、室暖ボタン２０ｂにより室暖機能が選択されていない場合、除菌ボタン２０ａが操作されると、制御装置１４の制御信号によりヒータ１０４が非通電の状態でファンモータ１０５のみ動作をし、トイレ空間の除菌運転が開始される。除菌運転中に、室暖ボタン２０ｂが操作されると、室暖機能が優先され、ヒータ１０４が通電され室内暖房機能が開始される。室内暖房機能が開始されても、本体ケース１０の外の空気が集じんフィルタ１０８に通気しヒータ１０４によって空気は暖められ、除菌された空気が温風となり本体ケース１０外へ排気されることになる。
【００３４】
次に、節電機能について説明する。
温水洗浄便座装置１には、学習制御により節電機能（以下  学習節電）と決まった時間を節電するタイマー節電とタイマー室内暖房運転（タイマー室暖）が搭載されている。学習節電は、リモコン２０の学習節電ボタン２０ｃ（おまかせ節電）を操作することにより、開始される。学習節電は、トイレの使用状況を常時記憶し、各時間帯での使用頻度を予測して、「あまり使わない時間帯」に便座温度、温水温度を予め設定された低い温度に抑えることで節電を行う機能である。
【００３５】
図８は、使用頻度の予測の説明図である。制御装置１４に設けた記憶部に、１日を３２個の時間帯（１個：４５分）に分割し、各時間帯でのトイレの使用状況を記憶する。トイレの使用状況は、リモコン使用の有無によりトイレを使ったか使わなかったかを判断する。１日分の使用状況のデータが揃ったところで、その日のデータを最近８日間の使用状況データに登録し、最近８日間を更新する。
【００３６】
１つの時間帯に対し、最近８日間でトイレを使用したのが３日以下若しくは４日未満であればその時間帯は「あまり使わない時間帯」と判断する。過去１日分しかデータがない場合はその前後の使用頻度を見て予測する。
【００３７】
使用頻度の予測には最低でも１日分の使用状況データが必要なため、学習節電が働くのは、温水洗浄便座装置の通電開始後、１日以上経過後となり、その後決まった使用パターンで使用すると、精度の良い節電が可能となる。
【００３８】
１日に１回も使用しなかった場合、その日は使用者が留守状態と判断し、その日のデータは登録しない。したがって使用者が不在などでしばらく１回も使わなくても、１日中すべて「あまり使わない時間帯」とはならない。
【００３９】
タイマー節電は、毎日同じ時刻に設定された時間だけ自動的に便座ヒータ（図示無し）、温水ヒータ（図示無し）への通電を停止する機能である。リモコンのタイマー節電ボタン２０ｄを押し、３時間、６時間、９時間の節電時間を設定する。設定が完了したときより（ボタンを押したときより）タイマー節電は開始される。但し、使用者の便座９への着座検知と、便器１３付近への人体の検知を行う対象物検知センサ２１（図１参照）が検知している場合は、節電を行わなず通常設定運転になり、使用者が対象物検知センサ２１から非検知となったら、節電が再度開始される。
【００４０】
タイマー室暖は、リモコン２０のタイマー室暖ボタン２０ｅを押し、３時間、６時間、９時間の運転時間を設定する。設定が完了したときより（ボタンを押したときより）室内暖房装置は運転を開始する。
【００４１】
図９は、学習節電とタイマー節電を設定されている場合の除菌運転の動作説明図である。学習節電とタイマー節電の運転制御は、タイマー節電が優先される。
学習節電の「あまり使わない時間帯」では、除菌機能付き室内暖房装置のファンモータ１０５は、ファンモータ１０５の回転数を通常運転より回転数を下げ運転（低量運転）する。この制御での「あまり使わない時間帯」は、夜中の就寝中などの場合が多いため、通常運転の回転数での運転では運転音が響き使用者が不快になってしまい、この場合は回転数を下げ運転させることにより、消費電力も少なく、運転音を低減させることが可能となった。
【００４２】
使用予測時間帯ではファンモータ１０５の回転数を上げ、通常運転にて運転させる。使用予測時間帯及び「あまり使わない時間帯」で、対象物検知センサ２１が使用者を検知したら、ファンモータ１０５の回転数を低減運転又は、ファンモータ１０５の回転を停止させ、使用者に不快を与えない程度の運転若しくは停止させる。この制御は、例えば、冬場に除菌運転が設定されている場合、冷たい空気がトイレ空間に流れ、使用者に冷感による不快感を与えてしまうのを防止することや、ファンモータ１０５の駆動音により使用者に不快感を与えるのを防止することにある。その後、トイレの退室などで使用者の検知が非検知になった場合、ある一定期間、通常運転の回転数より回転数を上げ使用者の衣服などからトイレ内に拡散した埃やゴミなどを積極的に除去させる。一定期間後は、通常運転又は低量運転に復帰する。
【００４３】
図１０は、タイマー室暖、タイマー節電及び学習節電が、併用された場合の動作説明図である。節電機能とタイマー室暖では、室暖運転が優先される。タイマー室暖運転では通常運転でトイレ空間の室内暖房と除菌を行い、タイマー節電期間が過ぎれば、前述同様に「あまり使われない時間帯」では、除菌機能付き室内暖房装置のヒータ１０４は非通電で低量運転で運転をし、使用が予測された場合は、ファンモータ１０５の回転数を上げ、通常運転をする。使用者を対象物検知センサ２１にて検知した場合は、前述と同様である。
【００４４】
以上のように、本実施例では室内暖房装置の吸気側に集じんフィルタを配置し装置の兼用が可能となった。また、吸気口は本体ケース背面部に設けているが、使用者が便器正面に立ったとき若しくは便座に着座した際、視認しにくい場所（例えば：底面や側面）であれば、集じんフィルタやプレフィルタ交換の意思が無い使用者が，フィルタケースやプレフィルタを着脱操作をすることを防げ、また、フィルタケースやプレフィルタの盗難防止にもなる。
【００４５】
なお、本実施例は、ロータンクと局部洗浄装置を一体にしている、いわゆる「一体形」の温水洗浄便座装置である。しかし、ロータンクと温水洗浄便座装置が別体式であっても同様の構造は可能であり、また、室内暖房と温水洗浄便座装置が別体に取付られ、温水洗浄便座装置と室内暖房装置が電気的に接続されているものも、構成をコンパクトにできる点で本発明に含まれることは言うまでもない。
【図面の簡単な説明】
【００４６】
【図１】本発明の温水洗浄便座の透視斜視図である。
【図２】本発明の背面からの見た温水洗浄便座装置である。
【図３】本発明のフィルタケースとプレフィルタの図である。
【図４】本発明の室内暖房装置の斜視図である。
【図５】本発明の室内暖房装置部の概略断面図である。
【図６】本発明の風路系統図である。
【図７】本発明のリモコンの図である。
【図８】本発明の使用頻度の予測の説明図である。
【図９】本発明の動作説明図である。
【図１０】本発明の動作説明図である。
【符号の説明】
【００４７】
1・・・温水洗浄便座装置
2・・・給水管
3・・・分岐管
4・・・ロータンク
5・・・ボールタップ
6・・・給水装置
7・・・温水タンク
8・・・局部洗浄用ノズル
9・・・暖房便座
10・・・本体ケース（基材）
10a・・・開口部
11・・・便ふた
12・・・開閉制御装置
13・・・便器
14・・・制御装置
15・・・便器洗浄バルブ装置
16・・・フラッパ弁
17・・・脱臭装置
18・・・乾燥装置
19・・・本体プレート（基材）
19a・・・開口部
20・・・リモコン
21・・・対象物検知センサ
100・・・空気清浄機能付き室内暖房装置
101・・・フィルタケース
102・・・プレフィルタ
103・・・排気ダクト
104・・・ヒータ
105・・・ファンモータ
106・・・吸気ダクト
107・・・パッキン
108・・・集じんフィルタ
109・・・サーミスタ
【図１】
2005320715.tif 000003
【図２】
2005320715.tif 000004
【図３】
2005320715.tif 000005
【図４】
2005320715.tif 000006
【図５】
2005320715.tif 000007
【図６】
2005320715.tif 000008
【図７】
2005320715.tif 000009
【図８】
2005320715.tif 000010
【図９】
2005320715.tif 000011
【図１０】
2005320715.tif 000012